(57)【要約】【課題】衛生的かつ簡便に、清掃材に絡め取られた除去対象物を除去することができる清掃用具を提供する。【解決手段】毛体群からなる清掃材１が柄体２の一端に取り付けられた清掃用具は、前記柄体２の他端に形成された挿入孔２１に挿脱自在に挿入され、前記毛体群に絡め取られた除去対象物を掻き出す掻き出し体３を備える。清掃用具の使用者は、掻き出し体３を清掃材１の除去対象物が絡まった箇所近傍に当てて動かすことによって、当該除去対象物を掻き出すことができる。【選択図】図７
2015126799.tif 000002
【特許請求の範囲】
【請求項１】
毛体群からなる清掃材が柄体の一端に取り付けられてあり、清掃面上の除去対象物を絡め取る清掃用具において、
前記柄体の他端に形成された挿入孔に挿脱自在に挿入され、前記毛体群から前記除去対象物を掻き出す掻き出し体を備えること
を特徴とする清掃用具。
【請求項２】
前記掻き出し体は、
前記挿入孔に挿入されたときに該挿入孔から少なくとも一部が突出する柱状の摘持部と、
該摘持部の他部側の端部から該摘持部の軸長方向に延設された延設部と、
該延設部に突設された複数の爪部と
を有することを特徴とする請求項１に記載の清掃用具。
【請求項３】
前記複数の爪部は、前記延設部の延設方向に沿って並んでいること
を特徴とする請求項２に記載の清掃用具。
【請求項４】
前記複数の爪部は、前記延設部の延設方向に沿って複数列設けられていること
を特徴とする請求項３に記載の清掃用具。
【請求項５】
前記延設部は、延設方向を長手方向とする板体であり、
前記複数の爪部は、前記延設部の一面に突設されていること
を特徴とする請求項３又は４に記載の清掃用具。
【請求項６】
前記掻き出し体は、前記延設部の延設端に突設された鉤部を有すること
を特徴とする請求項２から５までの何れか一つに記載の清掃用具。
【請求項７】
前記柄体は、前記挿入孔の内周面に、前記掻き出し体の挿入を案内する案内溝を有し、
前記摘持部は、前記案内溝に挿入保持される保持突起を周面に有すること
を特徴とする請求項２から６までの何れか一つに記載の清掃用具。
【請求項８】
前記清掃材は、前記柄体と長手方向を同じくする棒状をなしてあること
を特徴とする請求項１から７までの何れか一つに記載の清掃用具。
【発明の詳細な説明】
【技術分野】
【０００１】
本発明は、毛体群からなる清掃材が柄体の一端に取り付けられた清掃用具に関する。
【背景技術】
【０００２】
柄体の一端に清掃材を取り付けた清掃用具が知られている。特許文献１に記載の清掃用具は、清掃材として毛体群（ブラシ部）用い、当該清掃材により清掃面上の毛髪、糸屑、又は綿埃等の除去対象物を絡め取る。
【先行技術文献】
【特許文献】
【０００３】
【特許文献１】特開２０００−１８４９９１号公報
【発明の概要】
【発明が解決しようとする課題】
【０００４】
この種の清掃用具においては、毛体群に絡め取られた除去対象物を残した状態で使用を継続した場合には清掃能力が落ちる。また、当該状態が維持された場合には衛生面において問題がある。従って、清掃用具の使用者は、定期的に又は適宜状況に応じて、清掃材に絡め取られた除去対象物を取り除く作業を行う必要がある。
【０００５】
当該作業においては、毛体群に絡め取られた除去対象物を手で直接摘み取る方法又はピンセット等の道具を用いて当該除去対象物を摘み取る方法を、清掃用具の使用者が採用することが考えられる。毛体群に絡め取られた除去対象物を手で直接摘み取る方法では、衛生面において問題があり、道具を用いて除去対象物を摘み取る方法では、当該除去対象物が毛体群に絡め取られた都度、道具を用意する必要があり、手間である。
【０００６】
本発明は斯かる事情に鑑みてなされたものであり、衛生的かつ簡便に、清掃材に絡め取られた除去対象物を除去することができる清掃用具を提供することにある。
【課題を解決するための手段】
【０００７】
本発明に係る清掃用具は、毛体群からなる清掃材が柄体の一端に取り付けられてあり、清掃面上の除去対象物を絡め取る清掃用具において、前記柄体の他端に形成された挿入孔に挿脱自在に挿入され、前記毛体群から前記除去対象物を掻き出す掻き出し体を備えることを特徴とする。
【０００８】
本発明にあっては、掻き出し体によって清掃材に絡め取られた除去対象物を掻き出すことができるため、直接手で除去対象物を除去する必要がなく、衛生的である。また、使用者は、除去対象物が清掃材に絡め取られたときに掻き出し体を柄体の挿入孔から抜き出して使用することができるため、簡便である。
【０００９】
本発明に係る清掃用具は、前記掻き出し体は、前記挿入孔に挿入されたときに該挿入孔から少なくとも一部が突出する柱状の摘持部と、該摘持部の他部側の端部から該摘持部の軸長方向に延設された延設部と、該延設部に突設された複数の爪部とを有することを特徴とする。
【００１０】
本発明にあっては、清掃用具の使用者が、挿入孔から突出した摘持部の一部を摘持して掻き出し体を挿入孔から抜き出し、摘持した状態で当該掻き出し体を使用できるため、簡便である。また、使用者は、延設部に突設された複数の爪部の先端を清掃材の除去対象物が絡まった箇所近傍に当てた状態で掻き出し体を動かすことにより、除去対象物を容易に掻き出すことができる。このとき、摘持部から離れた位置で除去対象物を掻き出すことができるため、使用者の手が接触する虞を低減することができ、衛生的である。
【００１１】
本発明に係る清掃用具は、前記複数の爪部は、前記延設部の延設方向に沿って並んでいることを特徴とする。
【００１２】
本発明にあっては、使用者が掻き出し体を用いて除去対象物を掻き出すときに、延設部の延設方向に沿って並んだ複数の爪部を清掃材に当てることができる。そのため、除去対象物を掻き出す効率を上げることができ、利便性が向上する。
【００１３】
本発明に係る清掃用具は、前記複数の爪部は、前記延設部の延設方向に沿って複数列設けられていることを特徴とする。
【００１４】
本発明にあっては、複数の爪部が、延設部の延設方向に沿って複数列設けられているため、清掃材に当てる爪部を多数設けることができる。そのため、除去対象物を掻き出す効率を上げることができ、利便性が向上する。
【００１５】
本発明に係る清掃用具は、前記延設部は、延設方向を長手方向とする板体であり、前記複数の爪部は、前記延設部の一面に突設されていることを特徴とする。
【００１６】
本発明にあっては、使用者が、掻き出し体を使用するときに、板体である延設部の他面に指を添えることにより、掻き出す方向に力を加えやすくなる。そのため、掻き出し体の使用感を向上させることができる。
【００１７】
本発明に係る清掃用具は、前記掻き出し体は、前記延設部の延設端に突設された鉤部を有することを特徴とする。
【００１８】
本発明にあっては、使用者は、鉤部の先端を清掃材の除去対象物が絡まった箇所近傍に当てた状態で掻き出し体を動かすことにより、除去対象物を容易に掻き出すことができる。鉤部は、摘持部から最も離れた位置に設けられているため、使用者が鉤部によって除去対象物を掻き出すときに、当該使用者の手が清掃材に接触することを確実に防止することができ、より衛生的である。
【００１９】
本発明に係る清掃用具は、前記柄体は、前記挿入孔の内周面に、前記掻き出し体の挿入を案内する案内溝を有し、前記摘持部は、前記案内溝に挿入保持される保持突起を周面に有することを特徴とする。
【００２０】
本発明にあっては、掻き出し体の保持突起に案内溝が挿入保持されるため、掻き出し体が挿入孔に挿入された状態で中心軸周りの回転を防ぐことができる。従って、掻き出し体を挿入孔に挿入した状態で柄体の端部が把持されたときに、掻き出し体の中心軸周りの回転が生じず、清掃用具の使用感を損なわない。
【００２１】
本発明に係る清掃用具は、前記清掃材は、前記柄体と長手方向を同じくする棒状をなしてあることを特徴とする。
【００２２】
本発明にあっては、清掃用具の使用者が例えば、風呂場又は洗い場の排水口等の内周面を清掃する場合、棒状の清掃材を開口から挿入して擦りつけることができるため、利便性が向上する。
【発明の効果】
【００２３】
本発明によれば、衛生的かつ簡便に、清掃材に絡め取られた除去対象物を除去することができる。
【図面の簡単な説明】
【００２４】
【図１】実施の形態に係る清掃用具の構成を示す正面図である。
【図２】柄体の他端部を示す拡大側断面図である。
【図３】図２のIII−III線による柄体の断面図である。
【図４】掻き出し体の構成を示す斜視図である。
【図５】図４のＶ−Ｖ線による掻き出し体の断面図である。
【図６】掻き出し体の底面図である。
【図７】掻き出し体の使用例を示す説明図である。
【図８】掻き出し体の使用例を示す説明図である
【発明を実施するための形態】
【００２５】
以下、本発明をその実施の形態を示す図面に基づいて詳述する。
【００２６】
図１は、実施の形態に係る清掃用具の構成を示す正面図である。図示の清掃用具は、棒状をなす柄体２の長手方向の一端部に清掃材１を取り付けて構成されている。清掃材１は、柄体２の軸長方向に延びるように柄体２の一端部に取り付けられた軸部材４によって保持されている。清掃材１は、毛体を棒状に束ねてなる毛体群であり、各毛体は、例えば加熱収縮した太さ約４０μｍのポリエステル繊維である。軸部材４は、２本のステンレス等の金属棒が撚られた撚り線である。２本の金属棒の間に清掃材１の各毛体を挟んだ状態で軸部材４が撚られることにより、清掃材１は軸部材４に保持されている。このとき、清掃材１は、各毛体が軸部材４の撚り方向に偏倚しつつ軸部材４の周りに螺旋状に配されることにより、全体で棒状をなす毛体群として構成される。
【００２７】
清掃用具の使用者は、柄体２を把持し、以上のように構成された清掃材１を床面、壁面等の清掃面に擦りつけることにより本発明の清掃用具を使用する。また、清掃用具の使用者は、例えば風呂場又は洗い場の排水口等の開口部に棒状をなす清掃材１を挿入し、当該排水口の内周面に擦りつけることで、当該内周面を清掃することができる。
【００２８】
柄体２は、ポリプロピレン等の樹脂材料で形成された棒状部材であり、中途部から一端部に向かって先細に形成されている。清掃材１は、先細にされた柄体２の一端部に取り付けられており、他端部には、掻き出し体３が取り付けられている。
【００２９】
図２は、柄体２の他端部を示す拡大側断面図であり、図３は、図２のIII−III線による柄体２の断面図である。柄体２は、中途部から他端部にかけて角が丸くなった四角柱状をなし、当該他端部には挿入孔２１が設けてある。挿入孔２１は、柄体２の他端に開口し、柄体２の軸長方向に延びる円形断面の孔である。また、柄体２は、掻き出し体３の挿入孔２１への挿入を案内する案内溝２２を有する。案内溝２２は、挿入孔２１の内周面に形成され、柄体２の他端部の開口から柄体２の軸長方向に延びている。挿入孔２１には、掻き出し体３が挿入保持されている。次に、掻き出し体３の構成について説明する。
【００３０】
図４は、掻き出し体３の構成を示す斜視図であり、図５は、図４のＶ−Ｖ線による掻き出し体３の断面図であり、図６は、掻き出し体３の底面図である。掻き出し体３はポリプロピレン等の樹脂製であり、摘持部３１、延設部３２、及び鉤部３４が一端側から他端側に向かって並んでいる。摘持部３１は、挿入孔２１の開口と略同径の円柱状をなし、図２に示すように挿入孔２１に挿入された状態で一部が突出し、挿入された他部の周面が挿入孔２１の内周面に内接する。また、摘持部３１は、径方向に張り出した張出部３１１を中途部に有する。張出部３１１は、摘持部３１の四角柱状をなし、端面は、柄体２の他端部の端面と略同じ大きさである。また、摘持部３１は、他部側の周面に突設された保持突起３１２を有する。保持突起３１２は、摘持部３１の軸長方向に沿って延びる突条であり、案内溝２２の幅の大きさと略同じ大きさの幅を有する。
【００３１】
掻き出し体３は、摘持部３１の他部側の端部から摘持部３１の軸長方向に延設された延設部３２を備える。延設部３２は、延設方向と垂直な方向に円弧状に湾曲された支持板であり、外周面が摘持部３１の保持突起３１２の形成面と反対側の周面と面一になるように延設されている。また、延設部３２の内周面（一面）の両側縁及び中央部から延設方向に沿って櫛歯状に並んだ複数の爪部３３が突設されている。図２に示すように、爪部３３は、側面視で突設端を上底とする台形状をなしている。また、図５に示すように、両側縁に形成された爪部３３は延設部３２が延長して形成されている。中央部に形成された爪部３３は、延設部３２の延設方向を長手方向とする延設部３２の内周面に突設された平板の突出面から、両側縁に形成された爪部３３よりも高く突出する平板状の突片である。
【００３２】
掻き出し体３には、延設部３２の延設端に突設された鉤部３４を有する。鉤部３４は、突出板３４１と爪部３４２とを有する。突出板３４１は、当該延設端から延設部３２の内周面側に向かって緩やかに傾斜して突出する。爪部３４２は、突出板３４１の突出端の縁に沿って４本並設され、突出板３４１の傾斜よりも急な傾斜となるように前記内周面側に向かって屈曲されている。
【００３３】
以上のように構成された掻き出し体３は、図２に示すように鉤部３４側から挿入孔２１に挿入される。このとき張出部３１１がストッパとして機能し、掻き出し体３は必要以上に挿入孔２１に挿入されることがない。また、挿入孔２１に挿入された掻き出し体３は、保持突起３１２が案内溝２２に挿入保持される。保持突起３１２が挿入保持されることで、挿入孔２１に挿入された掻き出し体３が中心軸周りに回転することを防ぐことができる。そのため、清掃用具の使用者によって、掻き出し体３を挿入孔２１に挿入した状態で柄体２の他端部が把持されたときであっても、掻き出し体３の中心軸周りの回転が生じず、清掃用具の使用感を損なわない。掻き出し体３は、清掃用具の使用後、清掃材１に絡め取られた毛髪、糸屑、又は綿埃等の除去対象物を除去するために使用される。清掃用具の使用者は、柄体２を一方の手で把持し、挿入孔２１から突出した摘持部３１の一部を他方の手で摘持して挿入孔２１から掻き出し体３を引き抜き、当該掻き出し体３を使用する。
【００３４】
図７及び図８は、掻き出し体３の使用例を示す説明図である。清掃用具の使用者は、上述のように掻き出し体３を引き抜き、図７に示すように、清掃材１の除去対象物が絡まった箇所近傍に爪部３３をあて、爪部３３が並んだ方向と垂直な方向に掻き出し体３を動かして使用する。このように掻き出し体３が動かされることにより、複数の爪部３３夫々が清掃材１内に入り込んだ状態で移動し、清掃材１に絡め取られた除去対象物を掻き出すことができる。このとき、清掃用具の使用者は、延設部３２の外周面に指を添えることによって掻き出す方向に力を加えやすくなり、より安定して掻き出し体３を使用することができる。
【００３５】
また、清掃用具の使用者は、図８に示すように清掃材１の除去対象物が絡まった箇所近傍に鉤部３４に形成された爪部３４２の先端を当てて掻き出し体３を使用することもできる。当該使用者は、当該箇所近傍に爪部３４２の先端を当てた状態で、爪部３４２が並んだ方向と垂直な方向に掻き出し体３を動かすことによって、当該掻き出し体３を使用する。このように掻き出し体３が動かされることにより、４本の爪部３４２夫々が清掃材１内に入り込んだ状態で移動し、清掃材１に絡め取られた除去対象物を掻き出すことができる。このとき、清掃用具の使用者は、延設部３２の外周面に指を添えることによって掻き出す方向に力を加えやすくなり、より安定して掻き出し体３を使用することができる。
【００３６】
清掃用具の使用者は、以上のように掻き出し体３を使用し、清掃材１に絡め取られた除去対象物を掻き出すことによって、手で直接当該除去対象物を摘み出さなくてもよく、また、除去対象物を除去するために他の道具を用意する必要がなく、衛生的かつ簡便に清掃材１に絡め取られた除去対象物を除去することができる。また、掻き出し体３は挿入孔２１内に挿入された状態とすることができるため、紛失を防止することもできる。
【００３７】
なお、本実施の形態においては、爪部３３は、延設部３２の内周面の両側縁及び中央部に３列櫛歯状に並べて設けてあるが、４列以上または２列以下であってもよい。なお、列数が多いほうが、清掃材１の掻き部分が多くなるため、掻き出し体３による除去対象物を掻き出す効率を上げることができる。
【００３８】
また、本実施の形態においては、爪部３３は、櫛歯状に限らず千鳥状等の他の配列形態に設けられていてもよい。更に、爪部３３は、不規則に設けられていてもよい。
【００３９】
また、本実施の形態においては、鉤部３４は、突出板３４１及び爪部３４２で構成されていることを説明したが、爪部３４２を設けずに突出板３４１の突出端を延設部３２の内周面側に屈曲するだけの構成であってもよい。
【００４０】
また、本実施の形態においては、延設部３２は、延設方向に円弧状に湾曲された支持板であり、外周面が摘持部３１の周面と面一になるように延設されていることを説明したがそれ以外であってもよい。例えば、摘持部３１の他部側の端面中央から軸長方向に延設された平板状の板部材であってもよい。このとき、爪部３３は、平板状の板部材の両面に突設されてもよいし、片面に突設されてもよい。また、延設部３２は、摘持部３１の他部側の端面中央から軸長方向に延設された、当該端面よりも小径の円柱状の部材であってもよい。このとき、爪部３３は、当該部材の円周面に形成される。
【００４１】
また、本実施の形態においては、清掃材１は棒状をなしていることを説明したがそれ以外の形状であってもよい。また、清掃材１は、毛体群からなっていれば、毛体の太さ、材質等は問わない。
【００４２】
更に、今回開示された実施の形態は全ての点で例示であって、制限的なものではないと考えられるべきである。本発明の範囲は、上記した意味ではなく、請求の範囲によって示され、請求の範囲と均等の意味及び範囲内での全ての変更が含まれることが意図される。
【符号の説明】
【００４３】
１  清掃材
２  柄体
３  掻き出し体
４  軸部材
２１  挿入孔
２２  案内溝
３１  摘持部
３１１  張出部
３１２  保持突起
３２  延設部
３３  爪部
３４  鉤部
３４１  突出板
３４２  爪部
【図１】
2015126799.tif 000003
【図２】
2015126799.tif 000004
【図３】
2015126799.tif 000005
【図４】
2015126799.tif 000006
【図５】
2015126799.tif 000007
【図６】
2015126799.tif 000008
【図７】
2015126799.tif 000009
【図８】
2015126799.tif 000010